(57)【要約】【課題】補助電源の残容量の低下を抑制する。【解決手段】計算機は、交流電源２０から電力が供給されるように構成される制御回路３０と、利用者によるオン操作を受けた場合に導通状態になりオン操作が解除された場合に遮断状態になる手動スイッチ８と、手動スイッチ８に対して並列に接続され、制御回路３０によって遮断状態または導通状態に切り換えられる半導体スイッチ２４と、手動スイッチ８と半導体スイッチ２４との接続ノードａと、制御回路３０との間の電力経路１６上の位置に設けられるダイオードＤ１と、交流電源２０に対して並列に設けられ、手動スイッチ８および半導体スイッチ２４がいずれも遮断状態である場合に制御回路３０に電力を供給する補助電源４０とを含む。補助電源４０は、電力経路１６上のダイオードＤ１と制御回路３０の電源ノード３２との間の部分に電力を供給するように設けられる。【選択図】図２
2014035566.tif 000002
【特許請求の範囲】
【請求項１】
交流電源から電力が供給されるように構成され、利用者の操作内容に基づいた計算を実行する制御回路と、
前記交流電源と前記制御回路とを接続する電力経路に設けられ、前記利用者によるオン操作を受けた場合に導通状態になり前記オン操作が解除された場合に遮断状態になる手動スイッチと、
前記手動スイッチに対して並列に接続され、前記制御回路によって前記遮断状態および前記導通状態のうちのいずれか一方の状態から他方の状態に切り換えられる半導体スイッチと、
前記手動スイッチと前記半導体スイッチとの２つの接続ノードのうちの前記交流電源側の第１接続ノードと異なる第２接続ノードと、前記制御回路との間の前記電力経路上の位置に設けられ、前記制御回路側への電流の流れを許容し、かつ、前記交流電源側への電流の流れを遮断する第１ダイオードと、
前記交流電源に対して並列に設けられ、前記手動スイッチおよび前記半導体スイッチがいずれも前記遮断状態である場合に前記制御回路に電力を供給する補助電源とを含み、
前記補助電源は、前記電力経路上の前記第１ダイオードと前記制御回路の電源ノードとの間の部分に電力を供給するように設けられる、計算機。
【請求項２】
前記計算機は、前記補助電源側から前記電力経路上の前記第１ダイオードと前記電源ノードとの間の部分側への第１方向の電流の流れを許容し、かつ、前記第１方向と逆方向の第２方向の電流の流れを遮断する第２ダイオードをさらに含む、請求項１に記載の計算機。
【請求項３】
前記制御回路は、前記手動スイッチが前記遮断状態から前記導通状態に切り換わった場合に前記半導体スイッチを前記遮断状態から前記導通状態に切り換える、請求項１または２に記載の計算機。
【請求項４】
前記制御回路は、前記利用者によるオフ操作を受けた場合、または、前記計算機に対する無操作期間が予め定められた期間以上である場合に、前記半導体スイッチを前記導通状態から前記遮断状態に切り換える、請求項１〜３のいずれかに記載の計算機。
【請求項５】
前記半導体スイッチは、
前記制御回路からの電力供給により発光する発光素子と、
前記電力経路において前記手動スイッチに対して並列に接続され、前記発光素子から光を受けた場合に前記導通状態になる受光素子とを含む、請求項１〜４のいずれかに記載の計算機。
【請求項６】
前記半導体スイッチは、フォトトライアックカプラである、請求項５に記載の計算機。
【請求項７】
前記補助電源は、コイン電池である、請求項１〜６のいずれかに記載の計算機。
【発明の詳細な説明】
【技術分野】
【０００１】
本発明は、交流電源および補助電源を用いて作動する計算機に関する。
【背景技術】
【０００２】
交流電源の電力を用いて作動する計算機が公知である。このような計算機においては、非起動状態での消費電力（待機電力）を低下させることが望ましい。たとえば、特開２０１１−０３６０９０号公報（特許文献１）には、交流電源の電源回路に半導体スイッチを設けることによって待機電力を低下させる電源制御装置が開示される。
【先行技術文献】
【特許文献】
【０００３】
【特許文献１】特開２０１１−０３６０９０号公報
【発明の概要】
【発明が解決しようとする課題】
【０００４】
ところで、計算機には、交流電源から電力供給を受けない場合に設定値を保持するための補助電源が搭載される場合がある。このような計算機に上述の半導体スイッチを設ける場合には、補助電源の電力がこの半導体スイッチにより消費される場合がある。この場合、補助電源の残容量が早期に低下する可能性がある。上述した公報に開示された電源制御装置には、補助電源が搭載される場合については全く考慮されていない。
【０００５】
本発明は、上述した課題を解決するためになされたものであって、その目的は、補助電源の残容量の低下を抑制する計算機を提供することである。
【課題を解決するための手段】
【０００６】
この発明のある局面に係る計算機は、交流電源から電力が供給されるように構成され、利用者の操作内容に基づいた計算を実行する制御回路と、交流電源と制御回路とを接続する電力経路に設けられ、利用者によるオン操作を受けた場合に導通状態になりオン操作が解除された場合に遮断状態になる手動スイッチと、手動スイッチに対して並列に接続され、制御回路によって遮断状態および導通状態のうちのいずれか一方の状態から他方の状態に切り換えられる半導体スイッチと、手動スイッチと半導体スイッチとの２つの接続ノードのうちの交流電源側の第１接続ノードと異なる第２接続ノードと、制御回路との間の電力経路上の位置に設けられ、制御回路側への電流の流れを許容し、かつ、交流電源側への電流の流れを遮断する第１ダイオードと、交流電源に対して並列に設けられ、手動スイッチおよび半導体スイッチがいずれも遮断状態である場合に制御回路に電力を供給する補助電源とを含む。補助電源は、電力経路上の第１ダイオードと制御回路の電源ノードとの間の部分に電力を供給するように設けられる。
【０００７】
好ましくは、計算機は、補助電源側から電力経路上の第１ダイオードと電源ノードとの間の部分側への第１方向の電流の流れを許容し、かつ、第１方向と逆方向の第２方向の電流の流れを遮断する第２ダイオードをさらに含む。
【０００８】
さらに好ましくは、制御回路は、手動スイッチが遮断状態から導通状態に切り換わった場合に半導体スイッチを遮断状態から導通状態に切り換える。
【０００９】
さらに好ましくは、制御回路は、利用者によるオフ操作を受けた場合、または、計算機に対する無操作期間が予め定められた期間以上である場合に、半導体スイッチを導通状態から遮断状態に切り換える。
【００１０】
さらに好ましくは、半導体スイッチは、制御回路からの電力供給により発光する発光素子と、電力経路において手動スイッチに対して並列に接続され、発光素子から光を受けた場合に導通状態になる受光素子とを含む。
【００１１】
さらに好ましくは、半導体スイッチは、フォトトライアックカプラである。
さらに好ましくは、補助電源は、コイン電池である。
【発明の効果】
【００１２】
この発明によると、手動スイッチおよび半導体スイッチがいずれも遮断状態である場合に第１ダイオードによって補助電源の電力が半導体スイッチに供給されることが抑制される。したがって、補助電源の残容量の低下を抑制する計算機を提供することができる。
【図面の簡単な説明】
【００１３】
【図１】計算機の一例であるプリンタ電卓の外観を示す図である。
【図２】計算機の電源回路部分を示す図である。
【図３】計算機のオン操作時の動作を示すフローチャートである。
【図４】計算機のオフ操作時の動作を示すフローチャートである。
【図５】計算機の他の構成例に係る電源回路部分を示す図である。
【発明を実施するための形態】
【００１４】
以下、図面を参照しつつ、本発明の実施の形態について説明される。以下の説明では、同一の部品には同一の符号が付されている。それらの名称および機能も同じである。したがってそれらについての詳細な説明は繰り返されない。
【００１５】
図１に、本実施の形態に係る計算機１の外観を示す。なお、本実施の形態に係る計算機１は、プリンタ電卓を一例として説明するが、交流電源から電力の供給を受けて作動し、かつ、設定値を保持するための電力源である補助電源を有する計算機であればよく、特にプリンタ電卓に限定されるものではない。
【００１６】
図１に示すように、計算機１は、操作部２と、表示部４と、プリンタ装置６と、手動スイッチ８と、電源ケーブル１０と、プラグ１２とを含む。
【００１７】
操作部２は、「０」〜「９」および「００」の各々を示す複数の数字キーと、小数点や「＋」や「−」等の演算に関連する記号や各種機能に対応する複数の機能キーとを含む。複数の機能キーは、たとえば、利用者からオフ操作を受けるためのオフキー１４を含む。オフ操作とは、利用者によってオフキー１４が押下される操作をいうものとする。オフキー１４は、計算機１を非起動状態にするためのキーである。
【００１８】
表示部４は、利用者の操作内容（たとえば、押されたキーに対応する数字、記号あるいは機能）を表示したり、現在までの計算履歴を表示したり、補助電源の状態（たとえば、残容量や残容量低下の警告）を表示したりする。プリンタ装置６は、計算結果や計算履歴等をロール状のプリンタ用紙に印字する。
【００１９】
手動スイッチ８は、機械式のスイッチであって、計算機１を起動状態にするためのスイッチである。手動スイッチ８は、モーメンタリスイッチである。手動スイッチ８は、たとえば、押しボタンやレバー等の操作部材を用いて構成される。以下、利用者が手動スイッチ８の操作部材を初期位置から所定位置まで移動させる操作をオン操作という。オン操作が行なわれる場合には、手動スイッチ８の操作部材には、初期位置に戻るようにばね等の弾性部材からの弾性力が作用する。そのため、オン操作が解除される場合には手動スイッチ８の操作部材は当該弾性力によって初期位置に戻る。
【００２０】
電源ケーブル１０の一方端は、プラグ１２に接続される。プラグ１２は、家屋等に設けられるソケットに対応した形状であって、ソケットと接続可能な端子を有する。電源ケーブル１０の他方端は、計算機１内部の電源回路３に接続される。計算機１の使用時において、プラグ１２は、ソケット（図２参照）に接続される。ソケットは、商用電源等の交流電源に接続される。
【００２１】
プラグ１２がソケットに接続された状態で、利用者が計算機の手動スイッチ８に対してオン操作を行なうと、計算機１には交流電源からの電力が供給され、起動状態になる。計算機１が起動状態になると、それ以降利用者の操作部２への操作に応じて計算が実行されたり、計算結果や計算履歴が表示部４に表示されたり、あるいは、計算結果や計算履歴がプリンタ装置６を用いてプリンタ用紙に印字されたりする。
【００２２】
計算機１が起動状態である場合にオフ操作が行なわれると、交流電源からの電力供給が遮断されて計算機１は、非起動状態になる。計算機１が非起動状態になると、利用者により操作部２に対して操作が行なわれても計算、表示あるいは印字等が行なわれない状態になる。また、計算機１が非起動状態である場合には、内部の補助電源を用いて揮発性メモリへの電力供給が維持されることによって設定値が保持される。
【００２３】
図２に、計算機１の電源回路３の構成を示す。なお、交流電源２０に接続されるソケット２２と計算機１のプラグ１２とは接続された状態である場合を想定する。図２に示すように、電源回路３は、手動スイッチ８と、半導体スイッチ２４と、制御回路３０と、補助電源４０と、ダイオードＤ１，Ｄ２，Ｄ４と、ツェナーダイオードＺＤと、平滑コンデンサＣ１とを含む。
【００２４】
交流電源２０と制御回路３０とは、第１電力経路１６と、接地ノード２８に接続される第２電力経路１８とによって接続される。
【００２５】
具体的には、第１電力経路１６の一方端は交流電源２０に接続される。第１電力経路１６の他方端は、制御回路３０の電源ノード３２に接続される。
【００２６】
第２電力経路１８の一方端は、交流電源２０に接続される。第２電力経路１８の他方端は、制御回路３０の電源ＧＮＤノード３４に接続される。
【００２７】
交流電源２０は、たとえば、商用電源である。第１電力経路１６には、手動スイッチ８と、半導体スイッチ２４とが並列に設けられる。
【００２８】
手動スイッチ８は、利用者によるオン操作を受けた場合に導通状態になるオン操作が解除された場合に上述した弾性力によって遮断状態になる手動のスイッチである。手動スイッチ８は、利用者によるオン操作が継続する期間だけ導通状態を維持する。手動スイッチ８は、オン操作が行なわれない限り、遮断状態を維持する。
【００２９】
手動スイッチ８に対してオン操作が行なわれると、手動スイッチ８は導通状態になる。そのため、交流電源２０と制御回路３０とが導通状態になる。その結果、交流電源２０から制御回路３０に対して電力が供給される。
【００３０】
半導体スイッチ２４は、制御回路３０によって遮断状態と導通状態とのうちのいずれか一方の状態から他方の状態に切り換えられるスイッチである。本実施の形態において、半導体スイッチ２４は、発光素子である発光ダイオードＤ３と、受光素子であるフォトトライアック２６とを含むフォトトライアックカプラである。
【００３１】
なお、半導体スイッチ２４は、特にフォトトライアックカプラであることに限定されるものではなく、たとえば、フォトモスリレー等を用いることもできる。
【００３２】
フォトトライアック２６は、手動スイッチ８と並列に設けられる。発光ダイオードＤ３のアノードは、フォトトライアック２６と手動スイッチ８との接続ノードａよりも電源ノード３２側の位置（接続ノードｂ）に接続される。発光ダイオードＤ３のカソードは、電流調整用の抵抗Ｒ１を介在して制御回路３０の制御ノード３６に接続される。
【００３３】
発光ダイオードＤ３は、制御回路３０からの制御により発光する。本実施の形態においては、発光ダイオードＤ３は、交流電源２０の電力が制御回路３０に供給されている場合に、制御回路３０により制御ノード３６における電圧レベルがＬｏレベルになるように制御されることにより発光し、Ｈｉレベルになるように制御されることにより発光を停止する。Ｈｉレベルは、たとえば、電源ノード３２に供給される電圧レベルに相当するものであってもよい。Ｌｏレベルは、少なくとも発光ダイオードＤ３が発光可能なＨｉレベルよりも低い所定の電圧レベルである。
【００３４】
フォトトライアック２６は、発光ダイオードＤ３から光を受けた場合に電気的な遮断状態から導通状態に切り換わるように動作する。
【００３５】
第２電力経路１８のプラグ１２と制御回路３０の電源ＧＮＤノード３４との間には、整流用のダイオードＤ４と、電流調整用の抵抗Ｒ２とが設けられる。
【００３６】
ツェナーダイオードＺＤは、第１電力経路１６と第２電力経路１８との間に接続される。ツェナーダイオードＺＤのカソードは、第１電力経路１６の接続ノードｂよりも電源ノード３２側の位置（接続ノードｃ）に接続される。ツェナーダイオードＺＤのアノードは、第２電力経路１８に接続される。ツェナーダイオードＺＤは、第１電力経路１６と第２電力経路１８との間の電圧の安定化に用いられる。
【００３７】
平滑コンデンサＣ１は、第１電力経路１６と第２電力経路１８との間に接続される。平滑コンデンサＣ１の一方端は、第１電力経路１６の接続ノードｃよりも電源ノード３２側の位置（接続ノードｄ）に接続される。平滑コンデンサＣ１の他方端は、第２電力経路１８に接続される。平滑コンデンサＣ１は、ダイオードＤ４で整流された波形の平滑化に用いられる。
【００３８】
第１電力経路１６の接続ノードｄよりも電源ノード３２側の位置（接続ノードｅ）から電圧検出経路４６が分岐する。電圧検出経路４６の一方端は、接続ノードｅにおいて第１電力経路１６に接続される。電圧検出経路４６の他方端は、制御回路３０の電圧検出ノード３８に接続される。
【００３９】
接続ノードｅと電源ノード３２との間には、ダイオードＤ１が設けられる。ダイオードＤ１のアノードは、第１電力経路１６の接続ノードｅに接続される。ダイオードＤ１のカソードは、制御回路３０の電源ノード３２に接続される。ダイオードＤ１は、半導体スイッチ２４側から制御回路３０側への電流の流れを許容し、制御回路３０側から半導体スイッチ２４側への電流の流れを遮断する。
【００４０】
補助電源４０は、交流電源２０に対して並列に設けられる。補助電源４０は、手動スイッチ８および半導体スイッチ２４がいずれも遮断状態である場合に制御回路３０の電源ノード３２に電力を供給する。本実施の形態において補助電源４０は、１Ｖ〜３Ｖ程度の直流電源である。補助電源４０は、たとえば、コイン電池である。
【００４１】
補助電源４０は、第１電力経路上のダイオードＤ１と制御回路３０の電源ノード３２との間の部分に電力を供給するように設けられる。すなわち、補助電源４０の正極と第１電力経路１６との接続ノードｆは、ダイオードＤ１と電源ノード３２との間に位置する。補助電源４０の負極は、第２電力経路１８に接続される。
【００４２】
補助電源４０の正極と接続ノードｆとの間には、ダイオードＤ２が設けられる。ダイオードＤ２のアノードは、補助電源４０の正極に接続される。ダイオードＤ２のカソードは、第１電力経路１６の接続ノードｆに接続される。ダイオードＤ２は、補助電源４０側から第１電力経路１６側への電流の流れを許容し、第１電力経路１６側から補助電源４０側への電流の流れを遮断する。
【００４３】
本実施の形態においては、制御回路３０は、電圧検出経路４６における電圧の検出と、制御ノード３６における電圧レベルの制御とを実行する他、利用者による操作部２への操作内容に基づいた計算を実行するマイクロコンピュータである。なお、制御回路３０としては、機能に応じた複数の回路を含むように構成されてもよいし、統合された１つの回路により構成されてもよい。
【００４４】
制御回路３０は、電圧検出部４２と、電源制御部４４とを含む。電圧検出部４２と電源制御部４４とは、ハードウェアとして構成されてもよいし、ソフトウェアとして構成されてもよいものとする。
【００４５】
電圧検出部４２は、交流電源２０から制御回路３０に電力が供給されている状態を検出する。電圧検出部４２は、電圧検出ノード３８における電圧Ｖを検出する。
【００４６】
電源制御部４４は、電圧検出部４２による検出結果に基づいて、制御ノード３６における電圧レベルをＨｉレベルとＬｏレベルとのうちのいずれか一方から他方に切り換える。
【００４７】
具体的には、電源制御部４４は、電圧検出部４２による検出結果に基づいて、交流電源２０から制御回路３０に電力が供給されているか否かを判定する。電源制御部４４は、たとえば、電圧検出部４２によって検出された電圧検出ノード３８における電圧Ｖが交流電源２０から制御回路３０に電力が供給されていることを示すしきい値Ｖ（０）以上である場合に、交流電源２０から制御回路３０に電力が供給されていると判定してもよい。電源制御部４４は、電圧検出ノード３８における電圧Ｖがしきい値Ｖ（０）よりも小さい場合には、交流電源２０から制御回路３０に電力が供給されていないと判定してもよい。
【００４８】
電源制御部４４は、交流電源２０から制御回路３０に電力が供給されていると判定された場合には、電圧レベルがＬｏレベルになるように制御ノード３６における電圧レベルを制御する。
【００４９】
電源制御部４４は、交流電源２０から制御回路３０に電力が供給されていないと判定された場合には、電圧レベルがＨｉレベルになるように制御ノード３６における電圧レベルを制御する。
【００５０】
なお、電源制御部４４は、たとえば、交流電源２０から制御回路３０に電力が供給されていると判定された場合には、計算機１が起動状態であることを示す起動フラグをオン状態にしてもよい。あるいは、電源制御部４４は、たとえば、交流電源２０から制御回路３０に電力が供給されていないと判定された場合には、起動フラグをオフ状態にしてもよいし、あるいは、計算機１が非起動状態であることを示す非起動フラグをオン状態にしてもよい。電源制御部４４は、起動フラグまたは非起動フラグの状態に基づいて制御ノード３６における電圧レベルを制御してもよい。
【００５１】
また、本実施の形態においては、制御回路３０の電圧検出ノード３８における電圧Ｖがしきい値Ｖ（０）以上であるか否かによって交流電源２０から制御回路３０に電力が供給されていると判定したが、このような方法に限定されるものではない。たとえば、交流電源２０から計算機１に印加される電圧波形のゼロクロス点が検出され、ゼロクロス点が検出されている間は、交流電源２０から制御回路３０に電力が供給されていると判定してもよい。
【００５２】
以下に図３を参照して、本実施の形態に係る計算機１の制御回路３０により実行される、計算機１の起動時の制御内容について説明する。
【００５３】
ステップ（以下、ステップをＳと記載する）１００にて、制御回路３０は、交流電源２０から電力供給が行なわれているか否かを判定する。交流電源２０から制御回路３０に電力が供給されているか否かについての判定方法は、上述したとおりであるため、その詳細な説明は繰り返さない。交流電源２０から制御回路３０に電力が供給されている場合（Ｓ１００にてＹＥＳ）、処理はＳ１０２に移される。もしそうでない場合（Ｓ１００にてＮＯ）、処理はＳ１００に戻される。
【００５４】
Ｓ１０２にて、制御回路３０は、半導体スイッチ２４を導通状態にする。具体的には、制御回路３０は、制御ノード３６における電圧レベルをＬｏレベルに切り換えることによって発光ダイオードＤ３を発光させる。発光ダイオードＤ３の発光によりフォトトライアック２６が導通状態に切り換えられる。
【００５５】
次に図４を参照して、本実施の形態に係る計算機１の制御回路３０により実行される、計算機１の停止時の制御内容について説明する。
【００５６】
Ｓ２００にて、制御回路３０は、利用者によりオフ操作が行なわれたか否かを判定する。制御回路３０は、たとえば、オフキー１４が押されたことを示す信号を操作部２から受信した場合に、利用者によりオフ操作が行なわれたと判定する。利用者によりオフ操作が行なわれた場合（Ｓ２００にてＹＥＳ）、処理はＳ２０４に移される。もしそうでない場合（Ｓ２００にてＮＯ）、処理はＳ２０２に移される。
【００５７】
Ｓ２０２にて、制御回路３０は、計算機１に対する無操作期間（直前の操作が完了してからの経過時間）が所定期間以上であるか否かを判定する。所定期間は、計算機１が操作されていない状態が長時間継続していると判定するための期間である。
【００５８】
制御回路３０は、たとえば、利用者による操作部２に対する直前の操作が完了してからの経過時間をタイマー等を用いて計測する。制御回路３０は、無操作期間が所定期間以上になる前に利用者により操作部が操作された場合には、計測した経過時間を初期値に戻す。制御回路３０は、無操作期間が所定期間以上であると判定した場合には（Ｓ２０２にてＹＥＳ）、処理はＳ２０４に移される。もしそうでない場合（Ｓ２０２にてＮＯ）、処理はＳ２００に移される。
【００５９】
Ｓ２０４にて、制御回路３０は、半導体スイッチ２４を遮断状態にする。具体的には、制御回路３０は、制御ノード３６における電圧レベルをＨｉレベルに切り換えることによって発光ダイオードＤ３の発光を停止させる。発光ダイオードＤ３の発光の停止によりフォトトライアック２６が遮断状態に切り換えられる。
【００６０】
Ｓ２０６にて、制御回路３０は、交流電源２０からの電力供給が遮断されたか否かを判定する。具体的には、制御回路３０は、電圧検出部４２によって検出される電圧検出ノード３８における電圧Ｖが上述のしきい値Ｖ（０）よりも小さい場合に、交流電源２０からの電力供給が遮断されたと判定する。
【００６１】
交流電源２０からの電力供給が遮断されたと判定された場合（Ｓ２０６にてＹＥＳ）、処理はＳ２０８に移される。もしそうでない場合（Ｓ２０６にてＮＯ）、処理はＳ２０６に戻される。Ｓ２０８にて、制御回路３０は、低消費電流モードに移行するとともに計算機１を非起動状態とする。
【００６２】
以上のような構造およびフローチャートに基づく本実施の形態に係る計算機１の動作について説明する。
【００６３】
たとえば、計算機１が非起動状態である場合を想定する。このとき、手動スイッチ８へのオン操作が行なわれると、手動スイッチ８が導通状態になる。手動スイッチ８が導通状態になることによって交流電源２０から制御回路３０に電力が供給される。
【００６４】
電圧検出部４２によって検出される電圧Ｖがしきい値Ｖ（０）以上になることにより交流電源２０から制御回路３０への電力が供給されると判定される場合には（Ｓ１００にてＹＥＳ）、制御回路３０は、制御ノード３６における電圧レベルをＬｏレベルに切り換える（Ｓ１０２）。
【００６５】
これにより、発光ダイオードＤ３が発光することによってフォトトライアック２６が導通状態になる。すなわち、半導体スイッチ２４が導通状態になる。そのため、手動スイッチ８のオン操作が解除されたとしても交流電源２０の電力は半導体スイッチ２４を経由して制御回路３０に供給されることとなる。
【００６６】
このとき、交流電源２０から制御回路３０へとダイオードＤ１を経由して電流は流れるが、ダイオードＤ２によって第１電力経路１６から補助電源４０への電流の流れが生じることが抑制される。
【００６７】
利用者によりオフキー１４に対するオフ操作が行なわれたり（Ｓ２００にてＹＥＳ）、あるいは、オフ操作が行なわれなくても（Ｓ２００にてＮＯ）、無操作期間が所定期間以上であったりする場合には（Ｓ２０２にてＹＥＳ）、制御回路３０は、制御ノード３６における電圧レベルをＨｉレベルに切り換えて、発光ダイオードＤ３の発光を停止させる（Ｓ２０４）。その結果、フォトトライアック２６が遮断状態になる。すなわち、半導体スイッチ２４が遮断状態になる。
【００６８】
その後、交流電源２０から制御回路３０への電力供給が遮断されたか否かが判定される（Ｓ２０６）。交流電源２０から制御回路３０への電力供給が遮断されたと判定された場合には（Ｓ２０６にてＹＥＳ）、低消費電流モードに移行されるとともに、計算機１が非起動状態になる（Ｓ２０８）。
【００６９】
手動スイッチ８および半導体スイッチ２４は、いずれも遮断状態になるため、制御回路３０には、補助電源４０の電力がダイオードＤ２を経由して供給される。このとき、ダイオードＤ１によって補助電源４０から半導体スイッチ２４に対して電流の流れが生じることが抑制される。すなわち、補助電源４０の電力が半導体スイッチ２４に供給されることが抑制される。そのため、補助電源４０の残容量の低下が抑制される。
【００７０】
以上のようにして、本実施の形態に係る計算機１によると、手動スイッチ８および半導体スイッチ２４がいずれも遮断状態である場合には、ダイオードＤ１によって補助電源４０の電力が半導体スイッチ２４（特に発光ダイオードＤ３）において消費されることが抑制される。したがって、補助電源の残容量の低下を抑制する計算機を提供することができる。そのため、設定値を保持するための補助電源４０としてコイン電池等の小型の電池を用いることができる。
【００７１】
さらに、利用者によるオフ操作を受けた場合や、あるいは、計算機１に対する無操作期間が予め定められた期間以上である場合に、制御回路３０によって半導体スイッチ２４を導通状態から遮断状態に切り換えられる。そのため、交流電源２０と制御回路３０との電気的な接続を遮断することができる。そのため、計算機１が非起動状態である場合の消費電力（すなわち、待機電力）を低下させることができる。
【００７２】
なお、上述した接続ノードａ〜ｆのうち、接続ノードａ〜ｅが同電位であるため、少なくとも接続ノードｆが接続ノードａ〜ｅよりも電源ノード３２側に位置していればよい。すなわち、接続ノードａ〜ｅの各位置は、図１に示す位置に限定されるものではなく、いずれか一つが他と入れ替わった位置であってもよい。
【００７３】
＜他の構成例＞
本実施の形態においては、図２を用いて計算機の電源回路３の構成について説明したが、特に、図２に示される電源回路の構成に限定されるものではない。たとえば、図５に示すように、電源回路３は、図２に示した電源回路３、すなわち、手動スイッチ８と、半導体スイッチ２４と、制御回路３０と、補助電源４０と、ダイオードＤ１，Ｄ２，Ｄ４と、ツェナダイオードＺＤと、平滑コンデンサＣ１とに加えて、トランス４８をさらに含むようにしてもよい。
【００７４】
トランス４８は、１次側コイル５０と、２次側コイル５２とを含む。すなわち、電源回路３は、トランス４８の１次側コイル５０を含む１次側回路３ａと、トランス４８の２次側コイル５２を含む２次側回路３ｂとに分けられる。１次側回路３ａは、トランス４８の１次側コイル５０に加えて、手動スイッチ８とフォトトライアック２６とを含む。上述した接続ノードａは、１次側回路３ａに含まれる。
【００７５】
なお、交流電源２０から接続ノードａまでの構成については、図２の交流電源２０から接続ノードａまでの構成と同様であるため、その詳細な説明は繰り返さない。
【００７６】
１次側コイル５０の一方端は、接続ノードａに接続される。１次側コイル５０の他方端は、交流電源２０に接続される。
【００７７】
２次側回路３ｂは、トランス４８の２次側コイル５２に加えて、制御回路３０と、ダイオードＤ１，Ｄ２，Ｄ４と、発光ダイオードＤ３と、ツェナダイオードＺＤと、平滑コンデンサＣ１とを含む。上述した接続ノードｂ〜ｆは、２次側回路３ｂに含まれる。
【００７８】
なお、２次側コイル５２以外の構成（接続ノードｂから制御回路３０を経由したダイオードＤ４までの構成）については、図２の電源回路３の構成と同様であるため、その詳細な説明は繰り返さない。
【００７９】
２次側コイル５２の一方端は、接続ノードｂに接続される。２次側コイル５２の他方端は、ダイオードＤ４のカソードに接続される。
【００８０】
交流電源の電力は、トランス４８において変圧されて制御回路３０に供給される。トランス４８は、たとえば、２００Ｖ程度の交流電圧を３０Ｖの交流電圧に変圧する。
【００８１】
より具体的には、２次側コイル５２は、１次側コイル５０の電圧に応じた交流電圧が発生する。２次側コイル５２に生じる交流電圧は、１次側コイル５０の交流電圧と、１次側コイル５０および２次側コイル５２の巻線比とによって決まる。
【００８２】
図２に示した電源回路３は、交流電源の電力が第１電力経路１６と第２電力経路１８とを用いて制御回路３０に供給される構成であったのに対して、図５に示したトランス４８を含む電源回路３においては、１次側回路３ａから２次側回路３ｂへとトランス４８を経由して交流電源の電力が変圧されて制御回路３０に供給される構成となっている点が異なる。さらに、２次側回路３ｂの上記した構成要素が変圧後の電圧に基づいて機能、動作する点が図２の電源回路３と異なる。それ以外の構成、機能および動作については、図２の電源回路３の構成、機能および動作と同様である。そのため、その詳細な説明は繰り返さない。このような構成にしても、図２で説明した電源回路３と同様の作用効果が発生する。
【００８３】
なお、上述した接続ノードａ〜ｆのうち、接続ノードａは、１次側回路３ａに含まれるため、接続ノードａは、接続ノードｂ〜ｆよりも交流電源２０側に位置する。さらに、接続ノードｂ〜ｅが同電位であるため、少なくとも接続ノードｆが接続ノードｂ〜ｅよりも電源ノード３２側に位置していればよい。すなわち、接続ノードｂ〜ｅの各位置は、図５に示す位置に限定されるものではなく、いずれか一つが他と入れ替わった位置であってもよい。
【００８４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８５】
１  計算機、２  操作部、３  電源回路、３ａ  １次側回路、３ｂ  ２次側回路、４  表示部、６  プリンタ装置、８  手動スイッチ、１０  電源ケーブル、１２  プラグ、１４  オフキー、１６，１８  電力経路、２０  交流電源、２２  ソケット、２４  半導体スイッチ、２６  フォトトライアック、２８  接地ノード、３０  制御回路、３２  電源ノード、３４  電源ＧＮＤノード、３６  制御ノード、３８  電圧検出ノード、４０  補助電源、４２  電圧検出部、４４  電源制御部、４６  電圧検出経路、４８  トランス、５０  １次側コイル、５２  ２次側コイル。
【図１】
2014035566.tif 000003
【図２】
2014035566.tif 000004
【図３】
2014035566.tif 000005
【図４】
2014035566.tif 000006
【図５】
2014035566.tif 000007